(57)【要約】【課題】機器応札と手動応札の両方に対応可能な応札システム、応札方法、及び、プログラムを提供する。【解決手段】せり会場内の座席についたユーザが応札番号札を上げて、せりにおいて手動応札で応札する旨の意思を示した場合には、カメラでユーザの上げた応札番号札の位置と、応札番号札が上げられた時刻と、応札番号札の応札番号とを取得し、せり会場内の座席についたユーザが携帯端末を用いて、機械応札で応札する旨の意志を示した場合には、携帯端末から送信されてくる電文に記述された、応札番号と、座席番号と、電文を受信した時刻とを取得し、応札番号札の位置から座席番号を取得し、手動応札と機械応札の両方から得られた応札番号、座席番号、時刻から、応札の順位を決定する。【選択図】図２
2018136683.tif 000002
【特許請求の範囲】
【請求項１】
カメラと、携帯端末と通信可能な通信インタフェースを備えるコンピュータによる応札方法を実現するプログラムであって、
せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、
せり会場内の座席についたユーザが前記携帯端末を用いて、機械応札で応札する旨の意志を示した場合には、前記携帯端末から送信されてくる電文に記述された、前記応札番号と、座席番号と、前記電文を受信した時刻とを取得し、
前記応札番号札の位置から前記座席番号を取得し、
前記手動応札と前記機械応札の両方から得られた前記応札番号、前記座席番号、前記時刻から、応札の順位を決定する、
ことをコンピュータに実行させるプログラム。
【請求項２】
前記応札番号札には、マーカが印刷され、前記マーカを検出することにより、前記応札番号札の座席位置を決定する、請求項１に記載のプログラム。
【請求項３】
前記応札番号札の前記応札番号は、前記応札番号札に記載されたカメレオンコードを画像解析して得られる、請求項１に記載のプログラム。
【請求項４】
前記携帯端末は、スマートフォンであり、応札プログラムをインストールすることにより、機械応札に用いられる、請求項１に記載のプログラム。
【請求項５】
前記せり会場内の表示装置に、応札したユーザの座席位置と、応札順位を表示する、請求項１に記載のプログラム。
【請求項６】
前記手動応札の場合の前記座席番号は、前記カメラに写った前記応札番号札の座標位置と、予め設けられた、前記座席番号と座席の座標とを対応させたデータとを用いて、決定される、請求項１に記載のプログラム。
【請求項７】
カメラと、携帯端末と通信可能な通信インタフェースを備えるコンピュータによる応札方法であって、
前記コンピュータが、
せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、
せり会場内の座席についたユーザが前記携帯端末を用いて、機械応札で応札する旨の意志を示した場合には、前記携帯端末から送信されてくる電文に記述された、前記応札番号と、座席番号と、前記電文を受信した時刻とを取得し、
前記応札番号札の位置から前記座席番号を取得し、
前記手動応札と前記機械応札の両方から得られた前記応札番号、前記座席番号、前記時刻から、応札の順位を決定する、応札方法。
【請求項８】
カメラと、
携帯端末と通信可能な通信インタフェースと
せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、せり会場内の座席についたユーザが前記携帯端末を用いて、機械応札で応札する旨の意志を示した場合には、前記携帯端末から送信されてくる電文に記述された、前記応札番号と、座席番号と、前記電文を受信した時刻とを取得し、前記応札番号札の位置から前記座席番号を取得し、前記手動応札と前記機械応札の両方から得られた前記応札番号、前記座席番号、前記時刻から、応札の順位を決定する、制御部と、
を備えるせり制御端末と、
を備える応札システム。
【発明の詳細な説明】
【技術分野】
【０００１】
本発明は、手動で応札と価格上げを行う手せりと機器応札の双方に対応可能な応札システム、応札方法、及び、プログラムに関する。
【背景技術】
【０００２】
国内の小規模せり会場や、海外のせり会場では、機器による価格の自動せり上げは行わず、調整人による手動の価格上げ、買い手による手動の応札が行われる。このような手動のオークションを手せりシステムと呼んでいる。
【０００３】
手せりシステムは次のように運用する。
（１）調整人は、せりにかける車両のスタート価格や車両情報をデータベースから取得する(データベースには予め車両のデータが登録されている)。
（２）調整人は、取得したスタート価格や車両情報を会場内のスクリーンに表示する。
（３）調整人は、せりをスタートさせ、買い手に応札を呼びかける。
（４）買い手は予め渡された応札番号札を持って挙手をして応札する。
（５）応札があるたびに、調整人は価格上げを行い、
スクリーンに表示する。
（６）応札する買い手が最後の二人になった場合に、会場に複数人いるフラグ係が、どちらの買い手が先に応札したかを判定してフラグを指し、先に応札した買い手が落札者となる。調整人は落札の結果として、車両情報と落札者の応札番号とを対応付けてデータベースに入力すると共に、会場内のスクリーンに表示する。
【０００４】
従来技術には、特許文献１、２のような、座席と対応付けられた端末から応札するもがある。
【先行技術文献】
【特許文献】
【０００５】
【特許文献１】特開２０１２−２１２２６４号公報
【特許文献２】特開２０１１−０４４０２７号公報
【発明の概要】
【発明が解決しようとする課題】
【０００６】
従来の手せりでは、１台の車両をせるのに時間がかかるため、将来の出品台数の増加に対応できない。このため、スマートフォンなどの機器を使用した応札への移行が望まれているが、次の条件がある。
(1)買い手用の数百の座席に、応札用の機器を導入するのはコストがかかる。
(2)スマートフォンなどの機器を買い手に貸し出してもよいが盗難のリスクがある。
(3)買い手の持ち物であるスマートフォンを応札用の機器としたい。
(4)買い手は必ずしもスマートフォンを持ってくるとは限らないので、従来の応札番号札での応札もできるようにしたい。
【０００７】
これらの条件から、機器応札システムでも手動応札ができるようにする必要がある。しかしながら、機器応札システムに手動応札が混在すると次の課題がある。
(a)機器応札があったかどうかは、まわりの買い手からは分からないので、不当な価格上げでないことを示す必要がある。
(b)機器応札があったかどうかは、フラグ係からは分からないので、応札番号札で応札した買い手と機器応札した買い手のどちらが早く応札したかが分からない。
(c)応札番号札で応札した買い手も、機器応札した買い手も、応札できていること(公平であること)を示す必要がある。
【０００８】
したがって、本発明の課題は、機器応札と手動応札の両方に対応可能な応札システム、応札方法、及び、プログラムを提供することである。
【課題を解決するための手段】
【０００９】
本発明の第１の側面によるプログラムは、カメラと、携帯端末と通信可能な通信インタフェースを備えるコンピュータによる応札方法を実現するプログラムであって、せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、せり会場内の座席についたユーザが前記携帯端末を用いて、機械応札で応札する旨の意志を示した場合には、前記携帯端末から送信されてくる電文に記述された、応札番号と、座席番号と、前記電文を受信した時刻とを取得し、前記応札番号札の位置から座席番号を取得し、前記手動応札と前記機械応札の両方から得られた前記応札番号、前記座席番号、前記時刻から、応札の順位を決定する、ことをコンピュータに実行させる。
【００１０】
本発明の第２の側面による応札方法は、カメラと、携帯端末と通信可能な通信インタフェースを備えるコンピュータによる応札方法であって、前記コンピュータが、せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、せり会場内の座席についたユーザが前記携帯端末を用いて、機械応札で応札する旨の意志を示した場合には、前記携帯端末から送信されてくる電文に記述された、応札番号と、座席番号と、前記電文を受信した時刻とを取得し、前記応札番号札の位置から座席番号を取得し、前記手動応札と前記機械応札の両方から得られた前記応札番号、前記座席番号、前記時刻から、応札の順位を決定する。
【００１１】
本発明の第３の側面による応札システムは、カメラと、携帯端末と通信可能な通信インタフェースと、せり会場内の座席についたユーザが応札番号札を上げて、せりにおいて手動応札で応札する旨の意思を示した場合には、前記カメラで前記ユーザの上げた前記応札番号札の位置と、前記応札番号札が上げられた時刻と、前記応札番号札の応札番号とを取得し、せり会場内の座席についたユーザが前記携帯端末を用いて、機械応札で応札する旨の意志を示した場合には、前記携帯端末から送信されてくる電文に記述された、応札番号と、座席番号と、前記電文を受信した時刻とを取得し、前記応札番号札の位置から座席番号を取得し、前記手動応札と前記機械応札の両方から得られた前記応札番号、前記座席番号、前記時刻から、応札の順位を決定する、制御部と、を備えるせり制御端末と、を備える。
【発明の効果】
【００１２】
本発明によれば、機器応札と手動応札の両方に対応可能な応札システム、応札方法、及び、プログラムを提供することができる。
【図面の簡単な説明】
【００１３】
【図１】本発明の実施形態による応札システムのハードウェア構成図である。
【図２】本発明の実施形態による、応札システムの機能ブロック図である。
【図３】データベースサーバのデータベースに格納されるデータの例を示す図である。
【図４】せり端末のメモリに格納されるデータの例を示す図（その１）である。
【図５】せり端末のメモリに格納されるデータの例を示す図（その２）である。
【図６】せり端末のメモリに格納されるデータの例を示す図（その３）である。
【図７】せり端末とスマートフォンのメモリに格納されるデータの例を示す図である。
【図８Ａ】本実施形態によるせり制御の処理フロー（その１）である。
【図８Ｂ】本実施形態によるせり制御の処理フロー（その２）である。
【図９】本実施形態によるせり制御の処理フロー（その３）である。
【図１０】本実施形態によるせり制御の処理フロー（その４）である。
【図１１】本実施形態による応札プログラムの処理フロー（その１）である。
【図１２】本実施形態による応札プログラムの処理フロー（その２）である。
【図１３】本実施形態による画面表示例（その１）である。
【図１４】本実施形態による画面表示例（その２）である。
【図１５】スマートフォンによる機械応札と座席表示について説明する図である。
【図１６】せり制御端末のハードウェア構成の一例を示す図である。
【発明を実施するための形態】
【００１４】
図１は、本発明の実施形態による応札システムのハードウェア構成図である。
データベースサーバ１０には、車両などの応札対象の情報が格納される。データベースサーバ１０は、ＨＵＢ１１を介して、ＬＡＮによってせり制御端末１２と、無線ＬＡＮアクセスポイント１５に接続される。せり制御端末１２には、行われるせりの制御を行うための、後に述べる処理フローを実行するプログラムがインストールされる。せり制御端末１２には、モニタ９、キーボード８、マウス７を備え、ＵＳＢ接続により、ステレオカメラ１３−１、１３−２が接続される。ステレオカメラ１３−１、１３−２は、座席１７において、応札者が掲げる応札番号札１８を撮影し、画像解析により、応札があったことを検出する。応札番号札１８には、応札番号に対応するマーカが印刷され、応札を検出する際の便宜を図るように構成されている。なお、ここでは、ステレオカメラは２台設けることとしているが、ステレオカメラの台数がこれに限定されるものではなく、必要に応じて任意の台数を設けることができる。
【００１５】
また、せり制御端末１２には、ＨＤＭＩ（登録商標）／ＤＶＩ／ＶＧＡなどによりプロジェクタ１４−１、１４−２が接続される。プロジェクタ１４−１、１４−２は、データベースサーバ１０からせり制御端末１２が読み出した応札対象の車両情報や、せり制御端末１２が処理した座席状況をスクリーンに表示する。具体的には、車両の写真、車種、走行距離などの車両の品質などを表す車両情報がプロジェクタ１４−１に表示され、座席の配置と応札の順位を示す座席状況がプロジェクタ１４−２によりスクリーンに表示される。ここでは、プロジェクタは２台のみを図示しているが、表示すべき情報の量に応じて、任意の数のプロジェクタを設けることができる。
【００１６】
また、無線ＬＡＮアクセスポイント１５は、ＩＥＥＥ８０２．１１ａ／ｂ／ｇ／ｎなどの通信プロトコルを用いて、機械応札を行うユーザが持参したスマートフォン１６等の携帯端末と通信する。スマートフォン１６等のユーザが持参する携帯端末には、予め、機械応札を行うためのアプリがインストールされており、ユーザは、このアプリを用いて、応札システムと通信を行いながら、機械応札を行う。
【００１７】
図２は、本発明の実施形態による、応札システムの機能ブロック図である。
データベースサーバ１０には、応札対象の情報が格納されたデータベース２０が設けられる。せり制御端末１２には、せり制御プログラム３３が格納され、実行される。せり制御プログラム３３のデータ入出力部２１は、データベースサーバ１０のデータベース２０との間で、データのやり取りを行う。データベース２０から得られたデータや、せり制御端末１２が処理した応札状況は、せり状況表示部２２及び座席状況表示部２３を介して、プロジェクタ１４−１、１４−２によって、スクリーンにせり状況画面３１と座席状況画面３２として表示される。
【００１８】
マーカ印刷済みの応札番号札１８が掲げられたことは、ステレオカメラ１３−１、１３−２によって撮影され、手せり応札検出部２４によって検出される。
【００１９】
買い手であるユーザが保持するスマートフォン１６には、応札プログラム２８が搭載され、ユーザからの入力を画面制御部２９が受信し、せり制御通信部３０が、ユーザから応札があったことをせり制御プログラム３３の応札通信部２７に通知する。応札順判定部２６は、手せり応札検出部２４と応札通信部２７から受信した、手せり応札と機械応札の応札情報から、買い手のユーザの応札順を判定し、順位リストを生成する。応札順判定部２６からの情報に基づいて、応札の状態を、スクリーンに表示させる。
【００２０】
図３〜図７は、データベースサーバのデータベースに格納されるデータの例、せり端末のメモリに格納されるデータの例、及び、スマートフォンのメモリに格納されるデータの例を示す図である。
【００２１】
図３は、出品テーブルである。図３の出品テーブルにおいては、出品ごとに、出品番号、スタート価格、車両情報（型名、メーカー、年式、色）、車両画像ファイル名、出品票画像ファイル名、結果、現在価格、応札種別、応札番号、座席番号が記録される。ここでは、本実施形態にしたがって、応札種別として、手せりとスマートフォン１６を用いた機械応札のいずれで応札がなされたかを登録するようになっている。  図４は、順位リストである。図４の順位リストにおいては、応札の順位、応札の時刻、応札種別、応札番号、座席番号、現在価格が記録される。ここにおいても、応札種別として、手せりによるか、スマートフォン１６を用いた機械応札かの区別が記述される。
【００２２】
図５は、座席地図である。図５の座席地図は、ステレオカメラ１３−１、１３−２で応札番号札１８を検出したとき、その応札番号札１８がどの座席１７（図１）から上げられているかを確認するものである。図５の場合、ｘ座標方向に１０席、ｙ座標方向に４席の４０席が設けられている場合を示している。各座席１７には、座席番号が振られていて、その座席番号によって、座席１７を特定する。各座席１７には、その座標が記されており、ステレオカメラ１３−１、１３−２で会場を撮影した場合、この座席１７の座標を用いて、どの座席１７から応札があったかを特定する。
【００２３】
図６は、応札があった場合の、応札情報を一時的に格納するキューである。このキューには、応札が、手せりによる応札か、スマートフォン１６による機械応札かを指定する情報と、応札があった時刻、応札番号、座席番号、機械応札の場合の送信先アドレス（ＩＰアドレスとポート番号）を記録する。なお、手せり応札の場合には、送信先アドレスのＩＰアドレスとポート番号は、ｎｕｌｌに設定される。
【００２４】
図７（ａ）は、設定値を格納する。例えば、キューから情報を取り出す時間をタイムアウト時間として設定したり、応札価格をいくら単位で上昇させるかの値幅を設定したりするものである。
【００２５】
図７（ｂ）は、応札番号である。図７（ｂ）の応札番号は、買い手を識別するためにスマートフォンに設定するものである。
【００２６】
図８Ａ〜図１２は、本実施形態によるせり制御の処理フローである。
まず、図面を参照して説明する前に、本実施形態の動作の概要を説明する。
（１）調整人がせり制御プログラム３３に出品番号を入力して、せりにかける車両の、スタート価格や車両情報をデータベース２０から取得する(データベース２０には予め車両のデータが登録されている)。
（２）せり制御プログラム３３は、せりにかける車両の、スタート価格や車両情報を会場内に表示する。そして、せりの進行に従って、せりのスタート、現在の価格、せりの状況を表示する。
（３）調整人がせり制御プログラム３３を使用して、せりをスタートさせ、買い手に応札を呼びかける。
（４）スマートフォン１６を持ってない買い手は予めマーカが印刷された応札番号札１８を持って挙手をして応札する。
（５）スマートフォン１６を使用する買い手は、着席時に座席番号を入力、スマートフォン１６の画面の応札ボタンを押下して応札すると、座席番号、応札番号とともに応札電文が送信される。
（６）せり制御プログラム３３(応札順判定部２６)は、マーカを検出した時刻と、スマートフォン１６からの応札電文を受信した時刻を比較して、応札順位を決定し、座席状況表示部２３は応札順位と位置を表示する。
【００２７】
なお、ステレオカメラ１３−１、１３−２でマーカ位置を計測し、カメレオンコードなどで応札番号を読取ってもよい。応札順位は、会場内表示のほか、スマートフォン１６の画面に表示する。
【００２８】
（７）せり制御プログラム３３(応札順判定部２６)は応札があるたびに、自動で価格上げを行う。
（８）応札する買い手が最後の二人になった場合に、座席状況表示で、1位の応札者が落札者となる。
せり制御プログラム３３(応札順判定部２６)は、落札の結果を表示する。
【００２９】
上記の（６）により、応札者の順位と位置を表示することにより、課題(a)の不当な価格上げでないことを示すことができる。
【００３０】
また、応札番号札にマーカを印刷し、ステレオカメラでマーカを検出した位置及び時刻と、応札電文に含まれる座席番号及び受信時刻を比較することで、応札の順番を座席状況画面に表示して、課題(b)のどちらが応札した分からないことを解決するとともに、フラグ係を不要とする。
【００３１】
また、上記の（６）で検出したマーカとスマートフォン１６の応札の位置を全て示すことで、課題(c)の公平であることの課題を解決する。
【００３２】
次に、図８Ａ〜図１２の処理フローを参照して、本実施形態の動作を説明する。
なお、各処理フローに示される処理は、マルチタスクの環境で動作する。
【００３３】
図８Ａ及び図８Ｂは、せり制御プログラム３３のメインフローである。
ステップＳ１０において、画面制御部２５は調整人の入力を待つ。せりは出品車両の表示から開始するため、調整人は最初に出品番号の入力を行い、車両の画像等の対象車両の情報を表示の後、せりのスタートを行う。ステップＳ１１において、入力内容の判定を行う。入力内容が出品番号の場合、ステップＳ１２において、データ入出力部２１が、データベース２０の出品テーブルから出品番号に紐付くスタート価格、車両情報、車両画像ファイル、及び出品票画像ファイルを取得する。ステップＳ１３において、画面制御部２５がステップＳ１２において取得したスタート価格と車両情報をモニタ９に表示する。また、ステップＳ１４において、せり状況表示部２２が、ステップＳ１２において取得した情報に基づき、図１４に示す画像を生成し、プロジェクタ１４−１を介してスクリーンに画像を表示する。ステップＳ１６において、応札順判定部２６が順位リストをクリアする。そして、ステップＳ１７において、座席状況表示部２３が、クリアした順位リストにより、応札順位の表示を更新し、処理はステップＳ１０に戻る。
【００３４】
ステップＳ１１の判定で、入力内容が、スタートの指示であった場合、ステップＳ１８において、画面制御部２５がモニタ９にスタートを表示する。更に、ステップＳ１９において、せり状況表示部２２が、スクリーンに表示している画像の状況の欄に、スタート、を表示する。ステップＳ２０において、応札順判定部２６が手せり応札検出部２４と、応札通信部２７の開始フラグを、あり、に設定する。ステップＳ２１において、応札順判定部２６が順位リストをクリアする。そして、ステップＳ２２において、座席状況表示部２３が、クリアした順位リストにより、応札順位の表示を更新する。
【００３５】
ステップＳ２３において、応札順判定部２６が、キューから手せり応札／スマートフォン１６による機械応札の区別、応札の時刻、応札番号、座席番号を設定したタイムアウト内に取り出せるか否かを判定する。すなわち、現在価格において所定の時間内の応札の有無を判定する。キューから取り出せる場合には、ステップＳ２４において、応札順判定部２６が、応札の時刻の順で手せり応札／スマートフォン１６による機械応札の種別、応札の時刻、応札番号、座席番号、現在価格を順位リストに設定する。ステップＳ２５において、座席状況表示部２３が順位リストから応札順位の表示を更新し、プロジェクタ１４−２を介してスクリーンに表示する。すなわち、ステップＳ２４で設定した、ステレオカメラでマーカを検出した位置から求められた座席番号及び時刻と、応札電文に含まれる座席番号及び受信時刻を比較することによって決定された順位リストに基づき、ステップＳ２５において、応札の順番を座席状況画面に表示する。手せりの場合の座席番号は、マーカを検出した位置の座標と、座席地図（図５）に記載された座標とを比較することにより、座席地図から座席番号を取得する。
【００３６】
ステップＳ２６において、応札通信部２７が順位リストのスマートフォン１６による機械応札の順位を応札プログラム２８に対して、応札時に受信した際の送信元アドレスを使用して順位電文として順位電文を示す情報と共に順位リストを送信する（２）。処理は、ステップＳ２３に戻ると共に、図１２の応札プログラム２８へ順位電文が送信される。
【００３７】
ステップＳ２３において、タイムアウト内に情報が取り出せない場合、すなわち、現在価格において所定の時間内に応札がなかった場合には、ステップＳ２７において、現在価格がスタート価格と不一致、且つ、順位リストに１件以上の応札があるか否かを判定する。ステップＳ２７の判定の結果が、はい、である場合には、ステップＳ２８において、順位リストに３位以上の応札があるか否かを判定する。ステップＳ２８の判定で、そのような応札がある場合には、ステップＳ２９において、現在価格を設定の値幅分上げる。ステップＳ３０において、画面制御部２５が、ステップ２９において更新された現在価格をモニタ９に表示する。更に、ステップＳ３１において、せり状況表示部２２が現在価格の表示を更新し、ステップＳ２１に戻る。
【００３８】
ステップＳ２８の判定の結果が、いいえ、である場合には、ステップＳ３２に進む。ステップＳ３２においては、応札順判定部２６が手せり応札検出部２４と、応札通信部２７の開始指示フラグを、なし、に設定する。ステップＳ３３において、データベース２０の出品テーブルの該当出品番号について、応札順位リスト１位の現在価格、手せり応札／スマートフォン１６による機械応札の種別、応札番号、座席番号を書き込む。ステップＳ３４において、画面制御部２５が落札をモニタ９に表示する。ステップＳ３５において、順位リスト１位が機械応札の場合、応札番号を応札プログラム２８に落札電文として落札電文を示す情報と共に順位リストを応札時に受信した際の送信元アドレスを使用して送信する（２）。ステップＳ３６において、せり状況表示部２２が状況に落札を表示して、ステップＳ１０に戻る。
【００３９】
ステップＳ２７の判定の結果が、いいえ、となった場合、ステップＳ３７において、応札順判定部２６が手せり応札検出部２４と、応札通信部２７の開始指示フラグを、なし、に設定する。ステップＳ３８において、データベース２０の出品テーブルの該当出品番号行に、せりが流れたことを示す、流れ、を書き込む。ステップＳ３９において、画面制御部２５が、流れ、をモニタ９に表示する。更に、ステップＳ４０において、せり状況表示部２２が状況に、流れ、を表示し、ステップＳ１０に戻る。
【００４０】
図９は、せり制御プログラム３３の手せり応札検出部２４のフローである。
ステップＳ７０において、開始指示フラグが、あり、か否（なし）かを判断する。ステップＳ７０の判断が、いいえ、の場合、ステップＳ７０を繰り返す。ステップＳ７０の判断が、はい、の場合には、ステップＳ７１において、ステレオカメラ１３−１、１３−２で座席１７の全体を撮影する。ステップＳ７２において、撮影した画像の中にマーカが含まれるか否かを判断する。ステップＳ７２の判断が、いいえ、の場合、ステップＳ７０に戻る。ステップＳ７２の判断が、はい、の場合には、ステップＳ７３において、マーカを検出した時刻を取得する。ステップＳ７４において、カメレオンコードから応札番号を読み取る。カメレオンコードから応札番号を読み取る場合、マーカは、単に、応札番号札が上げられたことを検出するために用いる。決められたマーカを検出するほうが、応札番号札を画像解析して検出するよりも簡便である。ステップＳ７５において、ステレオカメラ１３−１、１３−２で、マーカの座標を計測し、座席地図と比較して、座席番号を決定する。ステップＳ７６において、手せり応札、応札の時刻、応札番号、座席番号を応札順判定部２６のキューに入れる。そして、処理はステップＳ７０に戻る。
【００４１】
図１０は、せり制御プログラム３３の応札通信部２７のフローである。
ステップＳ８０において、開始指示フラグが、あり、か否（なし）かを判断する。ステップＳ８０の判断が、いいえ、の場合、ステップＳ８０を繰り返す。ステップＳ８０の判断が、はい、の場合、ステップＳ８１において、応札プログラム２８の電文の受信を待つ。ステップＳ８１において、電文を受信すると（１）、ステップＳ８２において、電文を受信した時刻を取得する。ステップＳ８３においては、電文から応札番号を取得する。ステップＳ８４においては、電文から座席番号を取得する。ステップＳ８５においては、電文から送信元アドレスを取得する。ステップＳ８６においては、スマートフォン１６による機械応札、応札の時刻、応札番号、座席番号、送信元アドレスを応札順判定部２６のキューに入れる。そして、処理は、ステップＳ８０に戻る。
【００４２】
図１１は、応札プログラム２８のメインフローである。
ステップＳ５０において、画面制御部２９が買い手の入力を待つ。ステップＳ５１において、入力内容の判定を行う。ステップＳ５１で、入力が、座席番号であると判定された場合には、ステップＳ５２において、買い手が入力した座席番号をメモリに設定し、ステップＳ５０に戻る。この座席番号の設定は、せりの開始前に行われる。ステップＳ５１の判定で、入力が応札であると判断された場合には、ステップＳ５３において、メモリに設定された応札番号、座席番号、及び、送信元アドレスを取り出す。ステップＳ５４において、せり制御通信部３０が応札番号、座席番号、送信元アドレスから構成される電文をせり制御プログラム３３に送信して（１）、ステップＳ５０に戻る。
【００４３】
図１２は、応札プログラム２８のせり制御通信部３０のフローである。
ステップＳ６０において、せり制御プログラム３３の電文の受信を待つ。ステップＳ６０において、電文を受信すると（２）、ステップＳ６１において、電文内容の判定を行う。電文が応札順位を示す順位電文である場合、ステップＳ６２において、画面制御部２９が受信した電文の順位リストにメモリ上の座席番号が存在する場合、その座席番号に対応する順位を表示し、ステップＳ６０に戻る。電文が落札したことを示す落札電文の場合、ステップＳ６３において、受信した電文の順位リストにメモリ上の座席番号が存在し、且つ、その座席番号に対応する順位が１位の場合に落札を表示し、ステップＳ６０に戻る。
【００４４】
図１３及び図１４は、本実施形態による画面表示例である。
図１３は、せり制御プログラム３３がモニタ９に表示する、せり開始時の表示例であり、せりを開始するスタートボタンと、出品番号の入力欄と、現在価格の表示欄と、状況表示が存在する。状況表示は、出品番号入力直後は、空欄を表示する。落札時は、「落札」ラベルを表示する。流れ時は、「流れ」ラベルを表示する。
なお、出品番号を入力する際は、キーボードやマウスにより出品番号の入力欄にデータベースサーバに格納された、出品テーブルの出品番号を入力することにより、せりの対象車両が決定し、現在価格の表示欄には、対象車両のスタート価格が表示される。
【００４５】
図１４は、せり制御プログラム３３のせり状況画面を示す。
せり状況画面３１には、状況表示、出品番号、現在価格、車両の型名、メーカー、年式、色などの車両情報、車両画像、出品票画像が表示される。状況表示は、出品番号入力直後は空欄を表示する。落札時は、「落札」ラベルを表示する。流れ時は、「流れ」ラベルを表示する。
【００４６】
図１５は、スマートフォンによる機械応札と座席表示について説明する図である。
買い手であるユーザが保持するスマートフォン１６には、応札プログラム２８がインストールされている。ユーザが会場の席に着くと、スマートフォン１６の応札プログラム２８を使って、座席番号を登録する。ユーザは、応札を行うときには、応札プログラム２８を使って、スマートフォン１６から応札する旨のボタンを押す。応札順位がスマートフォン１６の画面に表示されると共に、座席状況画面３２において、どの座席番号の買い手が何番目の応札順位かが表示される。また、落札の際は、スマートフォン１６の画面に落札が表示される。
【００４７】
図１６は、せり制御端末１２のハードウェア構成の一例を示す図である。
せり制御端末１２においては、ＣＰＵ４０、ＲＯＭ４１、ＲＡＭ４２、通信インタフェース４３、記憶装置４５、媒体ドライバ４６、入出力装置４８が通信可能なようにバス４９によって接続される。
【００４８】
ＲＯＭ４１には、ＢＩＯＳなどの基本プログラムが格納され、実行される。ＲＡＭ４２は、記憶装置４５、可搬記録媒体４７に格納されるプログラムを実行可能なように展開する。通信インタフェース４３は、ネットワーク４４に、せり制御端末１２を通信可能なように接続するインタフェースである。
【００４９】
記憶装置４５は、典型的には、内蔵ハードディスクなどであり、せり制御端末１２のメインの記憶装置である。記憶装置４５には、せり制御プログラム３３などが格納される。媒体ドライバ４６は、可搬記録媒体４７に記録されるデータやプログラムを読み込むための装置である。可搬記録媒体４７は、典型的には、コンパクトディスク、ＤＶＤなどの光ディスク、フレキシブルディスクなどの磁気ディスク、ＵＳＢメモリなどの半導体メモリなどである。
【００５０】
入出力装置４８は、キーボード、ディスプレイ、マウス、テンプレート、トラックボール、タッチパネル等の、ユーザから情報を入力したり、ユーザに情報を提示したりするものである。
【００５１】
上記説明においては、せり対象は、車両であるとして説明したが、必ずしもこれに限定されるものではなく、花や海産物、肉牛などのせりにも適用可能である。
【符号の説明】
【００５２】
１０      データベースサーバ
１１      ＨＵＢ
１２      せり制御端末
１３−１、１３−２      ステレオカメラ
１４−１、１４−２      プロジェクタ
１５      無線ＬＡＮアクセスポイント
１６      スマートフォン
１７      座席
１８      応札番号札
２０      データベース
２１      データ入出力部
２２      せり状況表示部
２３      座席状況表示部
２４      手せり応札検出部
２５      画面制御部
２６      応札順判定部
２７      応札通信部
２８      応札プログラム
２９      画面制御部
３０      せり制御通信部
３１      せり状況画面
３２      座席状況画面
３３      せり制御プログラム
４０      ＣＰＵ
４１      ＲＯＭ
４２      ＲＡＭ
４３      通信インタフェース
４４      ネットワーク
４５      記憶装置
４６      媒体ドライバ
４７      可搬記録媒体
４８      入出力装置
４９      バス
【図１】
2018136683.tif 000003
【図２】
2018136683.tif 000004
【図３】
2018136683.tif 000005
【図４】
2018136683.tif 000006
【図５】
2018136683.tif 000007
【図６】
2018136683.tif 000008
【図７】
2018136683.tif 000009
【図８Ａ】
2018136683.tif 000010
【図８Ｂ】
2018136683.tif 000011
【図９】
2018136683.tif 000012
【図１０】
2018136683.tif 000013
【図１１】
2018136683.tif 000014
【図１２】
2018136683.tif 000015
【図１３】
2018136683.tif 000016
【図１４】
2018136683.tif 000017
【図１５】
2018136683.tif 000018
【図１６】
2018136683.tif 000019